(57)【要約】【課題】衣類を収納するネットを確実かつ容易に洗濯兼脱水槽の内部に装着すること。【解決手段】中央底部にパルセータ２を回転自在に設けた洗濯兼脱水槽１と、洗濯兼脱水槽１を内包する水受け槽３と、パルセータ２を回転駆動するモータ４と、パルセータ２の回転により洗濯兼脱水槽１の内部に向けて水を散水させる循環水路１４と、循環水路１４に設けた洗剤投入用カバー１５と、衣類などを収納するための網体部２７を有するネット１９とを備え、ネット１９は開口部を含むフック２０を有し、洗剤投入用カバー１５にはフック２０を固定する取り付け部を設けたことにより、衣類を収容するネットを洗濯兼脱水槽の内部に確実かつ容易に固定することができる。【選択図】図３
2014180476.tif 000002
【特許請求の範囲】
【請求項１】
中央底部にパルセータを回転自在に設けた洗濯兼脱水槽と、前記洗濯兼脱水槽を内包する水受け槽と、前記パルセータを回転駆動するモータと、前記パルセータの回転により前記洗濯兼脱水槽の内部に向けて水を散水させる循環水路と、前記循環水路に設けた洗剤投入用カバーと、衣類などを収納するための網体部を有するネットとを備え、前記ネットは開口部を含むフックを有し、前記洗剤投入用カバーには前記フックを固定する取り付け部を設けたことを特徴とする洗濯機。
【請求項２】
帯電微粒子水を発生させる静電霧化発生装置を更に備え、前記帯電微粒子水を前記ネットに収納した衣類などに放出する請求項１に記載の洗濯機。
【発明の詳細な説明】
【技術分野】
【０００１】
本発明は、洗い、すすぎ、脱水工程を行なう洗濯機に関するものである。
【背景技術】
【０００２】
従来、この種の洗濯機は、洗濯兼脱水槽内で撹拌用のパルセータにて洗濯物を撹拌洗浄する以外に、パルセータを洗濯物に直接接触させずに洗濯物を処理するための専用ネットを搭載する構成が提案されている（例えば、特許文献１参照）。
【０００３】
図６は、従来の洗濯機の縦断面図、図７は、同洗濯機の要部横断面図である。
【０００４】
図６、図７において、ネット４２は、洗濯兼脱水槽３１の側壁の曲面に合わせた４つのコーナーを有する略四角形の平面状の網体４３に縦方向が長辺の長方形の断面のリング４４を設けており、リング４４は、弾性を有するバネ材を使用し、ネット４２はこのリング４４のバネ力で形状を保つようになっている。ネット４２のコーナー部が洗濯兼脱水槽３１内壁の段部４５に乗っており、パルセータ３２を覆うように取付し、ネット４２上の衣類４６により押さえられている。ネット４２の直線部は洗濯兼脱水槽３１内の循環水路３９の逃がしとなっている。
【０００５】
以上の構成にて、洗濯時には衣類４６はネット４２の上に乗せられており、直接に衣類４６とパルセータ３２は接触しない。パルセータ３２の回転により、矢印で示すような水流４７が発生し、この水流の力とパルセータ３２のポンプ作用による循環水路３９の上方からの吐出水によって衣類４６は洗浄される。この洗浄方法により、デリケートな衣類の型くずれ、傷みを防止するようになっている。なお、このネット４２は、デリケートな衣類の洗浄以外に、洗濯機に乾燥機能を持たせれば、上方から温風を放出してネット４２上の小物等の衣類の乾燥もできるし、帯電微粒子水の発生機能を持たせれば、上方から帯電微粒子水を吹き付けてネット４２上の小物等の衣類の除菌、消臭を行なうこともできる。
【先行技術文献】
【特許文献】
【０００６】
【特許文献１】特開平８−１１２４８９号公報
【発明の概要】
【発明が解決しようとする課題】
【０００７】
しかしながら、前記従来の構成では、少量のデリケートな衣類を洗浄するには支障ないが、ネット上で小物等の衣類の乾燥や除菌・消臭を行なう場合には、ネットが洗濯兼脱水槽の下部に取り付けてあるために、上方から吐出した乾燥空気や帯電微粒子水は洗濯兼脱水槽内で拡散してしまい、衣類に供給しにくく、性能を確保するには長い時間が掛かり、短時間で効率的に効果が発揮できないという課題があった。
【０００８】
本発明は、上記従来の課題を解決するもので、洗濯兼脱水槽の内部にネットを確実かつ容易に装着することができる。これにより、ネット上の衣類は、上方より放出する温風による乾燥や、あるいは、帯電微粒子水の放出によって、衣類に供給されやすく、除菌、消臭の効果を短時間に発揮し、洗濯品質を向上させる洗濯機を提供するものである。
【課題を解決するための手段】
【０００９】
前記従来の課題を解決するために、本発明の洗濯機は、中央底部にパルセータを回転自在に設けた洗濯兼脱水槽と、前記洗濯兼脱水槽を内包する水受け槽と、前記パルセータを
回転駆動するモータと、前記パルセータの回転により前記洗濯兼脱水槽の内部に向けて水を散水させる循環水路と、前記循環水路に設けた洗剤投入用カバーと、衣類などを収納するための網体部を有するネットとを備え、前記ネットは開口部を含むフックを有し、前記洗剤投入用カバーには前記フックを固定する取り付け部を設けたものである。
【００１０】
これによって、ネットを洗濯兼脱水槽の内部に確実かつ容易に固定することができる。
【発明の効果】
【００１１】
本発明の洗濯機は、衣類を収容するネットを洗濯兼脱水槽の内部に確実かつ容易に固定することができる。
【図面の簡単な説明】
【００１２】
【図１】本発明の実施の形態における洗濯機の縦断面図
【図２】同洗濯機の要部縦断面図
【図３】同洗濯機のネットとネットを引っ掛ける概要を示す要部斜視図
【図４】同洗濯機の洗剤投入用カバー外観斜視図
【図５】同洗濯機のネットのフックと洗剤投入用カバーの部分縦断面図
【図６】従来の洗濯機の縦断面図
【図７】同洗濯機の要部横断面図
【発明を実施するための形態】
【００１３】
第１の発明は、中央底部にパルセータを回転自在に設けた洗濯兼脱水槽と、前記洗濯兼脱水槽を内包する水受け槽と、前記パルセータを回転駆動するモータと、前記パルセータの回転により前記洗濯兼脱水槽の内部に向けて水を散水させる循環水路と、前記循環水路に設けた洗剤投入用カバーと、衣類などを収納するための網体部を有するネットとを備え、前記ネットは開口部を含むフックを有し、前記洗剤投入用カバーには前記フックを固定する取り付け部を設けたことにより、ネットを洗濯兼脱水槽の内部に確実に固定することができる。また、容易に装着することができるようになる。
【００１４】
第２の発明は、特に、第１の発明の洗濯機において、帯電微粒子水を発生させる静電霧化発生装置を更に備え、前記帯電微粒子水を前記ネットに収納した衣類に放出することにより、帯電微粒子水の放出による除菌、消臭の効果を発揮し、洗濯品質を向上させることができる。
【００１５】
以下、本発明の実施の形態について、図面を参照しながら説明する。また、この実施の形態によって本発明が限定されるものではない。
【００１６】
（実施の形態１）
図１は、本発明の実施の形態における洗濯機の縦断面図、図２は、同洗濯機の要部縦断面図である。
【００１７】
図１、図２において、洗濯兼脱水槽１は、上部に開口部を有し、中央底部にパルセータ２を回転自在に配設している。水受け槽３は、洗濯兼脱水槽１の外側に設けて、洗濯兼脱水槽１を収容している。モータ４は、ベルト５および減速機構兼クラッチ６を介して、洗濯兼脱水槽１またはパルセータ２を回転駆動する。排水弁７は洗濯兼脱水槽１内の洗濯水を排水し、給水弁８は洗濯兼脱水槽１に給水するものである。また、水受け槽３は筐体９にサスペンション１０によって防振支持されている。環状の流体バランサー１１は、洗濯兼脱水槽１の上部に設けられており、脱水時など、洗濯兼脱水槽１が回転したときの振動を低減するものである。
【００１８】
筐体９の上部に配設された上部枠体３３の前部には、操作表示部３４が設けられ、運転コースを設定するための入力や、設定した内容の表示を行なう。また、操作表示部３４の内方には制御装置１２が設けられ、制御装置１２は、モータ４、排水弁７、給水弁８などを制御して、洗い、すすぎ、脱水の一連の工程を逐次制御するものである。
【００１９】
洗濯兼脱水槽１の内面に、循環水路カバー１３と洗濯兼脱水槽１とで水密的に循環水路１４を形成している。循環水路カバー１３の途中に、内部に糸屑捕集用の網部２２を有するリントフィルター１７を着脱可能に設け、その上部には、洗剤を循環水路１４内に投入するための開口部である洗剤投入開口部３６を覆う洗剤投入用カバー１５を開閉自在に設けている。なお、図１の洗剤投入用カバー１５は、開けた状態を示している。また、循環水路１４は、洗濯兼脱水槽１内に対向して一対形成されており、リントフィルター１７、洗剤投入用カバー１５も一対ずつ設けられている。そして、パルセータ２が回転すると、パルセータ２の下羽根１８により、洗濯水がポンプ作用にてポンプ室１６から上方に持ち上げられ、リントフィルター１７の網部２２に糸屑が捕集される。また、洗剤投入用カバー１５を開けて洗剤投入開口部３６より循環水路１４内に投入された洗剤は、パルセータ２の回転により、すぐに溶解される。このように、循環水路１４は、パルセータ２の回転により洗濯兼脱水槽１の内部に向けて水を散水させるよう作用する。
【００２０】
なお、図示されていないが、上部枠体３３の後部内方には、送風手段を備えた静電霧化発生装置が設けられており、帯電微粒子水を洗濯兼脱水槽１内へ上方より放出し、衣類の除菌、消臭を行なうことができる。
【００２１】
図３は、本発明の実施の形態における洗濯機のネットとネットを引っ掛ける概要を示す要部斜視図、図４は、同洗濯機の洗剤投入用カバーの外観斜視図、図５は、同洗濯機のネットのフックと洗剤投入用カバーの部分縦断面図を示すものである。
【００２２】
図３、図４、図５において、ネット１９は、衣類の除菌、消臭を行なうための除菌・消臭コースにおいて、その内部に小物等の衣類を入れて、一対のフック２０を洗剤投入用カバー１５のつまみ部２１に係合してセットし、工程運転することにより、上方より帯電微粒子水が小物等の衣類に対して放出され、除菌、消臭をすることができる。
【００２３】
ネット１９は、外周部を下部リング２３にて保持された底部網体２４と、下部リング２３を介して底部網体２４と接続された側部網体２５と、側部網体２５の上部を保持する上部リング２６とで形成された網体部２７、および、上部リング２６に連結部２８にて回動自在に連結された一対のフック２０にて構成されている。そして、フック２０には、洗剤投入用カバー１５のつまみ部２１に係合するための略矩形状のフックの開口部２９が形成されている。
【００２４】
洗剤投入用カバー１５は、上述のように、循環水路カバー１３の上部に、軸部３０を支点にして開閉自在に設けられている。そして、洗剤投入用カバー１５の上部には、循環水路カバー１３に対する開口操作のために、ばね弾性を利用したつまみ２１が形成されており、つまみ２１の下側の左右には一対の略Ｌ字状リブ５２が設けられている。また、つまみ２１の下方の固定面５１には、つまみ２１と対向して突起３５が形成されている。略Ｌ字状リブ５２は、ネット１９を洗剤投入用カバー１５に固定する取り付け部として例示される。
【００２５】
以上のように構成された洗濯機において、以下その動作、作用を説明する。
【００２６】
小物等の衣類の除菌、消臭処理を行なうために、まずネット１９を洗濯兼脱水槽１に取り付ける。この時、洗剤投入用カバー１５のつまみ２１と固定面５１との間に、ネット１
９のフック２０を挿入すると、突起３５を乗り上げる瞬間だけつまみ２１を上に押し上げ、フック２０が奥に収まるとつまみ２１がばね弾性で戻り、フック２０のフックの開口部２９がつまみ２１の一対の略Ｌ字状リブ５２に係合してフック２０が抜けないように固定される。フック２０は、対向する一対の洗剤投入用カバー１５に取り付ける。それから、ネット１９の底部網体２４上に小物等の衣類を置く。
【００２７】
そして、操作表示部３４にて、衣類の撹拌洗浄という通常の運転コース以外の運転コースである除菌・消臭コースを選択して運転を開始すると、所定のプログラムに従い、上部枠体３３内方に設けた静電霧化発生装置が駆動して、帯電微粒子水が上方よりネット１９に置いた小物等の衣類に向かって放出され、除菌、消臭の処理が行なわれる。また、除菌・消臭コース終了後に、ネット１９のフック２０を取り外す時は、フック２０部全体を引っ張るとつまみ２１が上側に逃げて外すことができる。
【００２８】
なお、本実施の形態では、洗濯機に静電霧化発生装置を搭載して、帯電微粒子水を、洗濯兼脱水槽１内に取り付けたネット１９上の小物等の衣類に放出して、除菌、消臭を行なうとしたが、洗濯機に乾燥機能を搭載して、上方より温風をネット１９上の小物等の衣類に放出し、小物等の衣類の乾燥を行なってもよい。
【００２９】
以上のように、本実施の形態においては、モータ４の回転による衣類の撹拌洗浄以外の所定の運転コースにてネット１９内に置いた衣類を処理するために、洗剤投入用カバー１５上部に形成した略Ｌ字状リブ５２を有するつまみ２１と、つまみ２１下方の固定面５１に設けられた突起３５との間にネット１９のフック２０を挿入して、フック２０に設けた略矩形状のフックの開口部２９と略Ｌ字状リブ５２を係合して、ネット１９を洗剤投入用カバー１５に装着可能とすることにより、ネット１９のフック２０を確実かつ容易に固定することができるようになる。
【００３０】
また、静電霧化発生装置にて発生させた帯電微粒子水をネット１９上に収納した小物等の衣類に放出することにより、除菌、消臭の効果を短時間に発揮し、洗濯品質を向上させることができる。
【産業上の利用可能性】
【００３１】
以上のように、本発明にかかる洗濯機は、衣類を収容するネットを洗濯兼脱水槽の内部に確実かつ容易に固定することが可能となるので、洗濯兼脱水槽の内部に他の容器を固定する他の洗濯機の用途に適用できる。
【符号の説明】
【００３２】
１  洗濯兼脱水槽
２  パルセータ
３  水受け槽
４  モータ
１４  循環水路
１５  洗剤投入用カバー
１９  ネット
２０  フック
２７  網体部
２９  フックの開口部
【図１】
2014180476.tif 000003
【図２】
2014180476.tif 000004
【図３】
2014180476.tif 000005
【図４】
2014180476.tif 000006
【図５】
2014180476.tif 000007
【図６】
2014180476.tif 000008
【図７】
2014180476.tif 000009